(57)【特許請求の範囲】
【請求項１】
基板（１２３）上に設けられて所定の方向に回動する多機能スイッチ（１５０）と、
前記基板（１２３）の上方に設けられたゴム膜（２１１）と、
前記多機能スイッチ（１５０）上に設けられた操作キー（１０４）とを備え、
前記ゴム膜（２１１）は、押ボタン（１０５）を保持するベースラバー（１１４）と一体化されており、前記ベースラバーから離れるに従って、前記基板から離れて上方に延び、前記操作キー（１０４）の下に入り込むように形成され、
前記多機能スイッチは、固定部分と、前記固定部分に嵌め合わされた回動部分とを有し、前記回動部分は前記ゴム膜と接触していない、多機能スイッチ。
【請求項２】
前記操作キー（１０４）は、前記多機能スイッチ（１５０）とともに一方端から他方端まで回動し、前記操作キー（１０４）が一方端まで回動した位置にあるときでも前記ゴム膜（２１１）は前記操作キー（１０４）の下に入り込むように配置されている、請求項１に記載の多機能スイッチ構造。
【発明の詳細な説明】
【０００１】
【発明の属する技術分野】
この発明は、多機能スイッチに関し、特に、携帯電話機に用いられる多機能スイッチ構造およびその多機能スイッチ構造を用いた携帯電話機に関するものである。
【０００２】
【従来の技術】
近年、携帯電話機が普及している。これに伴い、携帯電話機の信頼性を向上させるための技術の開発が進められている。図１０は、従来の携帯電話機の平面図である。図１０を参照して、従来の携帯電話機５００は、フロントケース１０１と、フロントケース１０１に取付けられた保護窓１０２と、フロントケース１０１の中央部に設けられた多機能スイッチの操作キー５０４と、押ボタン１０５と、押ボタン１０５下に設けられたマイク１０８と、フロントケース１０１の下端側に設けられたフリップ１０６と、フロントケース１０１上部に設けられたレシーバ１０７と、携帯電話機５００上端側に引き出し収納可能に設けられたアンテナ１０９とを備える。
【０００３】
アンテナ１０９はリアケース（図示せず）内に収納されている。フロントケース１０１の上部側には、レシーバ１０７が設けられている。
【０００４】
レシーバ１０７の下には、フロントケース１０１に開口が設けられ、この開口に保護窓１０２が嵌め合わされている。保護窓１０２に覆われるようにフロントケース１０１内に液晶ディスプレイ１０３が位置決めされている。液晶ディスプレイ１０３下に液晶ディスプレイの近傍に配置されるように多機能スイッチの操作キー５０４が設けられている。操作キー５０４は、図１０の上下方向に所定の角度だけ回動する。操作キー５０４を複数回回動させることで、その回動回数に応じて種々のデータが切り換えられて液晶ディスプレイ１０３に表示される。
【０００５】
操作キー５０４下には、複数個の押ボタン１０５が設けられている。押ボタン１０５が押圧されて入力された情報は液晶ディスプレイ１０３に表示される。
【０００６】
押ボタン１０５下には、マイク１０８が設けられる。
【０００７】
フリップ１０６はフロントケース１０１下端側に回動可能に取付けられる。フリップ１０６が図１０で示すようにレシーバ１０７から遠ざかる方向に回動することにより、押ボタン１０５が露出する。また、フリップ１０６を携帯電話機５００のレシーバ１０７に近づく方向に回動させると、フリップ１０６は、押ボタン１０５を覆う。
【０００８】
図１１は、図１０で示す携帯電話機のキーパッドの平面図である。図１１を参照して、所定のキーパッド５１０上に押ボタン１０５が配置されている。押ボタン１０５は、ベースラバー１１４から突出するように設けられている。ベースラバー１１４上部に別の押ボタン１１２が互いに距離を隔てて設けられている。この押ボタン１１２の間に多機能スイッチを挿入するための孔５１１が設けられている。孔５１１は、多機能スイッチを挿入するのに十分な大きさを有し、多機能スイッチの外形に対応した形状である。
【０００９】
図１２は、図１０中のＸＩＩ−ＸＩＩ線に沿って見た断面を示す図である。図１２を参照して、従来の携帯電話機の多機能スイッチ構造では、基板１２３上に固定部分１５１および回動部分５５２からなる多機能スイッチ５５０が設けられている。固定部分１５１は基板１２３に固定され、内部に摺動スイッチを有する。回動部分５５２は、固定部分１５１に嵌り合う部分を有し、固定部分１５１に嵌り合った部分を中心として所定方向に回動する。回動部分５５２において、固定部分１５１と嵌り合う部分は、他の部分に比べて径が細くされている。回動部分５５２は、基板１２３に対して垂直な方向に延びるように形成される。回動部分５５２と直接接触するように操作キー５０４が設けられる。操作キー５０４は一定の曲率を有するドーム状に形成され、その頂部が突出したような形状となる。
【００１０】
基板１２３上にベースラバー１１４が設けられる。ベースラバー１１４には、多機能スイッチ５５０を受入れるための孔５１１が設けられている。ベースラバー１１４は、フロントケース１０１に押えつけられて基板１２３に固定されている。
【００１１】
多機能スイッチ５５０上には、デザイン性を持たせた操作キー５０４が固定されている。また、この操作キー５０４は、フロントケース１０１の孔から露出している。操作キー５０４は、所定方向の回動だけでなく、スライド機構を有する場合もある。
【００１２】
【発明が解決しようとする課題】
最近の携帯電話機では、筐体が小型化する一方、多機能化が進んでいる。そのため、多機能スイッチ１つにさまざまな主要機能が割り当てられており、従来の押ボタン１０５の操作に代え、操作キー５０４の使用頻度が多くなっている。人が操作キー５０４を操作すると、汗などの水分が操作キー５０４に付着する。操作キー５０４は様々な方向に回動またはスライドするため、付着した水分が操作キー５０４とフロントケース１０１の隙間から携帯電話機内部に浸入し、この水分が基板１２３上に達する。その結果、基板１２３上のパターン配線がショートしたりして、携帯電話の使用に際して、誤動作などが生じるという問題があった。
【００１３】
また、操作キー５０４が回動するため、操作キー５０４とフロントケース１０１との間にクッションなどを介在させることが困難であり、生活防水程度の防水防塵性の実現が困難であった。
【００１４】
この発明は上記問題を解決するためになされたものであり、防塵および防水構造を有する信頼性の高い多機能スイッチ構造を提供することを目的とする。
【００１５】
また、この発明は、防塵および防水構造を有し、信頼性の高い携帯端末を提供することを目的とする。
【００１９】
【課題を解決するための手段】
この発明に従った多機能スイッチ構造は、基板上に設けられて所定の方向に回動する多機能スイッチと、基板の上方に設けられたゴム膜と、多機能スイッチ上に設けられた操作キーとを備える。ゴム膜は、押ボタンを保持するベースラバーと一体化されており、ベースラバーから離れるに従って、基板から離れて上方に延び、操作キーの下に入り込むように形成される。多機能スイッチは、固定部分と、固定部分に嵌め合わされた回動部分とを有し、回動部分はゴム膜と接触していない。
【００２０】
このように構成された多機能スイッチ構造では、ゴム膜が操作キーの下に入り込むように延びるため、操作キーの外表面に付着した塵または水分が操作キーの表面を伝って携帯電話機内部に侵入しても、この塵および水分はゴム膜上に集まり、基板に付着しない。その結果、この発明の多機能スイッチ構造は防塵性および防水性を有し、信頼性が向上する。
【００２１】
また好ましくは、操作キーは、多機能スイッチとともに一方端から他方端まで回動し、操作キーが一方端まで回動した位置にあるときでも、ゴム膜は操作キーの下に入り込むように配置されている。この場合、操作キーが回動した場合であっても、常に操作キーの下に入り込むようにゴム膜が位置するため、操作キーをどのように操作したとしても、多機能スイッチ構造は防水性および防塵性を発揮することができる。その結果、多機能スイッチ構造の信頼性をさらに向上させることができる。
【００２２】
また好ましくは、上述のいずれかの多機能スイッチ構造を携帯端末に用いることが好ましい。
【００２３】
【発明の実施の形態】
以下、この発明の実施の形態について、図面を参照して説明する。
【００２４】
（実施の形態１）
図１は、この発明の実施の形態１に従った携帯電話機の平面図である。図１を参照して、従来の携帯電話機１００は、筐体となるフロントケース１０１と、フロントケース１０１に取付けられた保護窓１０２と、フロントケース１０１の中央部に設けられた多機能スイッチの操作キー１０４と、押ボタン１０５と、押ボタン１０５下に設けられたマイク１０８と、フロントケース１０１の下端側に設けられたフリップ１０６と、フロントケース１０１上部側に設けられたレシーバ１０７と、携帯電話機１００上端側に引き出し収納可能に設けられたアンテナ１０９とを備える。
【００２５】
フロントケース１０１は、一方向に延び、携帯電話機１００の外表面を構成する。フロントケース１０１の延びる方向とほぼ同じ方向に引き出し収納できるようにアンテナ１０９が取付けられている。図１で示すように、携帯電話機１００が使用されていない場合には、アンテナ１０９はフロントケース１０１内に収納されている。フロントケース１０１の上部側には、レシーバ１０７が設けられている。レシーバ１０７は、携帯電話機１００を使用する際に人の耳に接近させて相手方の音声を人に伝える機能を有する。
【００２６】
レシーバ１０７の下には、フロントケース１０１に開口が設けられ、この開口に保護窓１０２が嵌め合わされている。保護窓１０２はアクリル樹脂などの透明部材からなり、内部から発する光を透過する。保護窓１０２に覆われるようにフロントケース１０１内に液晶ディスプレイ１０３が位置決めされている。液晶ディスプレイ１０３は、文字情報などを表示し、たとえば、電話先の相手方の電話番号または携帯電話機１００内のメモリに蓄えられた情報を液晶表示する。液晶ディスプレイ１０３下に多機能スイッチの操作キー１０４が設けられている。操作キー１０４は、図１の上下方向および左右方向に所定の角度だけ回動する。操作キー１０４を複数回回動させることで、その回動回数に応じて種々のたデータが切り換えられて液晶ディスプレイ１０３に表示される。
【００２７】
操作キー１０４下には、複数個の押ボタン１０５が設けられている。押ボタン１０５は、フロントケース１０１表面に規則正しく配列され、それぞれの押ボタン１０５を人が押圧することにより、所定の情報を携帯電話機１００に入力することができる。また、押ボタン１０５が押圧されて入力された情報は液晶ディスプレイ１０３に表示される。
【００２８】
押ボタン１０５下には、マイク１０８が設けられる。マイク１０８は、携帯電話機１００の使用者の音声信号を電気信号に変えて相手方に伝えるための機能を有する。マイク１０８近傍に使用者の口が近づけられ、使用者の口から発せられた音声信号はマイク１０８で集められる。
【００２９】
フリップ１０６はフロントケース１０１下端側に回動可能に取付けられる。フリップ１０６が図１で示すようにレシーバ１０７から遠ざかる方向に回動することにより、押ボタン１０５を露出させる。また、フリップ１０６を携帯電話機１００のレシーバ１０７に近づく方向に回動させると、フリップ１０６は、押ボタン１０５を覆う。これにより、押ボタン１０５を保護することができる。
【００３０】
図２は、図１で示す携帯電話機のキーパッドの平面図である。図３は、図１中のＩＩＩ−ＩＩＩ線に沿って見た断面を示す図である。なお、図３では、図１で示すフリップ１０６を省略している。図２を参照して、所定のキーパッド１１０上に押ボタン１０５が配置されている。押ボタン１０５は、ベースラバー１１４から突出するように設けられており、ベースラバー１１４上に密集するように押ボタン１０５が設けられている。押ボタン１０５から離れた位置、すなわちベースラバー１１４上部に別の押ボタン１１２が互いに距離を隔てて設けられている。
【００３１】
押ボタン１１２の間には、ベースラバー１１４に連なり、上方に突出するように盛上がるゴム膜１１１が設けられている。ゴム膜１１１は、薄肉のゴムにより構成され、その頂部に回動部分１５２が嵌め合わされている。これにより、従来のキーパッド５１０と異なり、このキーパッド１１０では、押ボタン１１２間において、基板が露出していない。そのため、防塵および防水性を高めることができる。
【００３２】
図３を参照して、携帯電話機１００は、筐体として作用するフロントケース１０１およびリアケース１２１と、フロントケース１０１に嵌め合わされる保護窓１０２と、フロントケース１０１に設けられるレシーバ１０７およびマイク１０８と、フロントケース１０１の中央部分に設けられる多機能スイッチ１５０と、多機能スイッチ１５０とマイク１０８の間に設けられる押ボタン１０５と、リアケース１２１に嵌め合わされる電池パック１２２と、フロントケース１０１およびリアケース１２１の間の空間に配置される基板１２３とを備える。
【００３３】
フロントケース１０１は、携帯電話機１００の表面を構成し、一方向に延びるように形成される。フロントケース１０１には、所定の開口が設けられ、この開口に保護窓１０２が嵌め合わされる。保護窓１０２は透明の部材により構成される。また、保護窓１０２は、わずかに湾曲しており、レンズの作用も有する。フロントケース１０１にリアケース１２１が嵌り合う。リアケース１２１は、携帯電話機１００の裏面を構成する。
【００３４】
基板１２３はリアケース１２１に支持される。基板１２３は一方向に延び、基板１２３上にさまざまな部材が載置または固着される。基板１２３上には液晶ホルダ１２４が固定されている。この液晶ホルダ１２４上に液晶ディスプレイ１０３が固定されている。液晶ディスプレイ１０３から放たれた光は保護窓１０２を介して人の目に届く。これにより、人は液晶ディスプレイ１０３に表示された文字情報などを認識することができる。
【００３５】
基板１２３には、さらに多機能スイッチ１５０が設けられる。多機能スイッチ１５０は、基板１２３上に設けられて所定の方向に回動する。また、多機能スイッチ１５０の少なくとも一部の外表面を覆うように、基板１２３上にはゴム膜１１１が設けられている。
【００３６】
多機能スイッチ１５０は、基板１２３に固着された固定部分１５１と、固定部分１５１に嵌合し所定方向に回動する回動部分１５２とにより構成される。固定部分１５１は、回動部分１５２を受入れるための凹部を有し、固定部分１５１内に設けられた摺動スイッチが回動部分１５２の動きに合わせて動作することによりスイッチのオンオフを行なう。回動部分１５２は基板１２３から突出する方向に延び、その先端部は操作キー１０４に直接接触している。また、回動部分１５２には、所定のスペーサ１５３が設けられ、回動部分１５２が紙面の手前側から奥側へ回動した際にスペーサ１５３が基板１２３上に実装されているプッシュスイッチを押圧するように構成される。
【００３７】
操作キー１０４の一部分はフロントケース１０１に覆われており、他の部分は、フロントケース１０１から露出する。操作キー１０４は、回動部分１５２が固定部分１５１と嵌り合う部分を中心として矢印Ｒで示す方向に回動する。
【００３８】
操作キー１０４は、回動方向に延びるように形成されており、操作キー１０４下には薄肉のゴム膜１１１が入り込むように形成されている。ゴム膜１１１は、ベースラバー１１４から構成され、多機能スイッチ１５０の回動部分１５２に固着される。ゴム膜１１１は、回動部分１５２に固着される領域において最も高さが高くなり、回動部分１５２から離れるに従って低くなるように設けられる。ゴム膜１１１は固定部分１５１および回動部分１５２の大部分を密閉するように構成する。
【００３９】
ゴム膜１１１に連なるようにベースラバー１１４が設けられる。ベースラバー１１４は基板１２３上に載置され、フロントケース１０１と基板１２３との間にベースラバー１１４が挟まれて固定される。ベースラバー１１４上には押ボタン１０５が固着され、押ボタン１０５は、それぞれ所定の間隔を空けて並べられる。
【００４０】
フロントケース１０１の一方端には、レシーバ１０７が設けられる。レシーバ１０７は、フロントケース１０１の表面に設けられた孔から音声を人の耳に向けて発する。
【００４１】
フロントケース１０１の他方端には、マイク１０８が設けられる。マイク１０８は、フロントケース１０１に開けられた孔を介して、使用者が話す声を受取り、この声を電気信号に変換する。
【００４２】
リアケース１２１には、電池パック１２２が嵌め合わされている。電池パック１２２は、所定の電力を発生させる発電要素を備え、電池パック１２２から供給された電力は基板１２３を介して、液晶ディスプレイ１０３などに分配される。
【００４３】
図４は、図３中の点線ＩＶで囲んだ部分を拡大して示す断面図である。図４を参照して、この発明に従った多機能スイッチ構造では、基板１２３上に多機能スイッチ１５０が設けられている。基板１２３の主表面上に固定部分１５１が固着されている。固定部分１５１内には摺動接点が存在し、この摺動接点により、スイッチとしての機能を有する。固定部分１５１には、凹部が形成され、この凹部に回動部分１５２が嵌め合わされている。回動部分１５２は、凹部に嵌め合わされる突出部分を有する。この突出部分近傍の部分は、なだらかな傾斜を有し、所定の角度だけ回動部分１５２を回動させると回動部分１５２の一部分が固定部分１５１に接触する。この接触により、回動部分１５２の回動が停止する。
【００４４】
回動部分１５２は基板１２３から遠ざかる方向に延びるように設けられ、回動部分１５２はゴム膜１１１を挟み込むように形成される。つまり、ゴム膜１１１には、所定の貫通孔が設けられ、この貫通孔に回動部分１５２が嵌め合わされるように形成されている。ゴム膜１１１に覆われた領域において、回動部分１５２に接触するようにスペーサ１５３が設けられる。スペーサ１５３は回動部分１５２に嵌め合わされる。スペーサ１５３もゴム膜１１１に覆われるように形成される。ゴム膜１１１から突出した回動部分１５２は、その外表面がほぼ円弧形状の操作キー１０４に直接接触する。操作キー１０４と回動部分１５２とは固定されており、操作キー１０４を所定方向に回動させると、回動部分１５２も同じ方向に回動する。そのため、操作キー１０４を操作することにより、回動部分１５２も、操作キー１０４と同じ方向に回動する。
【００４５】
ゴム膜１１１においては、回動部分１５２の回動に伴って、ゴム膜１１１が引っ張られるのを緩和する部分１１１ａが設けられる。部分１１１ａは、ゴム膜１１１において、操作キー１０４の端部下に位置するが、この位置に限られるものではない。ゴム膜１１１の引っ張り応力の緩和という目的を達成するためには、部分１１１ａが、他の部分よりも強度が小さく、引っ張り応力を緩和することができればよく、たとえばアコーディオン状にしてもよい。さらに、部分１１１ａにだけ強度の小さい膜を入れることも可能である。なお、基板１２３と部分１１１ａとが接触しているが、基板１２３と部分１１１ａが離れて位置してもよい。
【００４６】
図５は、図４で示す多機能スイッチ構造の動作を説明するための断面図である。図５を参照して、操作キー１０４を図５中の左方向に回動させると、固定部分１５１に嵌り合った回動部分１５２も左方向に回動する。このとき、図５の右側に位置するゴム膜１１１は、最初、点線で示す位置に存在するが、操作キー１０４が回動するに従って実線で示す位置まで移動する。このとき、ゴム膜１１１には、引っ張り応力が発生するが、部分１１１ａが予め遊びを有しており、この部分が延びきるため、ゴム膜１１１に発生する引っ張り応力を緩和することができる。これに対し、図５の左側部分では、ゴム膜１１１にさらに遊びが発生し、部分１１１ａで、ゴム膜１１１が急激に曲がる。回動部分１５２の傾斜した面が固定部分１５１に接触することにより回動が止まる。図５において、操作キー１０４を回動させた状態であっても、ゴム膜１１１は、操作キー１０４の下に入り込むように配置されている。
【００４７】
図６は、図４中のＶＩ−ＶＩ線に沿って見た断面を示す図である。図６を参照して、基板１２３上に多機能スイッチ１５０の固定部分１５１が設けられている。固定部分１５１は基板１２３に固着されている。固定部分１５１上には回動部分１５２が載置されている。回動部分１５２は固定部分１５１上で、紙面の手前側から奥側に向かって回動することが可能である。回動部分１５２には、スペーサ１５３が嵌め合わされている。スペーサ１５３は紙面の右側から左側に向かって延び、スペーサ１５３の端部がスイッチ１５６に接触している。なお、スイッチ１５６は基板１２３上に設けられたボディ１５５に嵌り合っている。操作キー１０４を紙面の左側へ押し込むことにより、スペーサ１５３が下方向へ回動する。これにより、スイッチ１５６を押圧することができる。スイッチ１５６が押圧されることにより、スイッチ１５６はボディ１５５内にもぐり込む。これにより、スイッチのオンオフをすることができる。
【００４８】
固定部分１５１と、回動部分１５２の一部分と、スペーサ１５３とを覆うようにゴム膜１１１が設けられる。ゴム膜１１１は、基板１２３から上方に立上がるように延び、スペーサ１５３に沿って延びる。また、ゴム膜１１１には貫通孔が形成されており、この貫通孔にスペーサ１５３または回動部分１５２の突出部分が嵌り合う。これによって、ゴム膜１１１がスペーサ１５３および回動部分１５２に固定される。ゴム膜１１１とベースラバー１１４との境界部分には引っ張り応力を緩和するための部分１１１ａが設けられる。部分１１１ａは一旦基板１２３に近づいた後に基板１２３から遠ざかる方向に延び、この部分でゴム膜１１１の遊びが設けられている。つまり、部分１１１ａでは、ゴム膜１１１に撓みが設けられ、この部分でゴム膜１１１の長さが長くなっている。
【００４９】
ゴム膜１１１上には操作キー１０４が設けられる。操作キー１０４は、ゴム膜に開けられた孔に嵌り合い、スペーサ１５３および回動部分１５２と直接接触する。そのため、スペーサ１５３と回動部分１５２と操作キー１０４とでゴム膜１１１が挟み込まれる。
【００５０】
このように構成された多機能スイッチ構造と、それを用いた携帯電話機では、ゴム膜１１１が、多機能スイッチ１５０を覆うように構成される。その結果、多機能スイッチ１５０内に水および埃が入るのを防止することができ、防水性および防塵性を高めることができる。その結果、信頼性の高い多機能スイッチおよび携帯電話機を提供することができる。
【００５１】
（実施の形態２）
図７は、この発明の実施の形態２に従った多機能スイッチ構造の断面図である。なお、図７は、図６で示す断面に対応する。図７を参照して、この発明の実施の形態２に従った多機能スイッチ構造では、基板１２３上に固定部分２５１および回動部分２５２からなる多機能スイッチ２５０が設けられている。固定部分２５１は、実施の形態１で示す固定部分１５１と同様の働きをする。固定部分２５１に回動部分２５２が嵌め合わされている。回動部分２５２に接するように、ゴム膜１１１が設けられる。ゴム膜１１１は、多機能スイッチ２５０を構成する固定部分２５１と回動部分２５２とを覆う。ゴム膜１１１は、図６で示すゴム膜１１１と同様に、ベースラバー１１４に連なり、ベースラバー１１４との間に遊びを構成する部分１１１ａを有する。ゴム膜１１１には複数の貫通孔が設けられており、この貫通孔に嵌り合うように操作キー２０４のリブが設けられる。そのため、図７では、操作キー２０４と回動部分２５２との間には実施の形態１で示したようなスペーサが存在しない。操作キー２０４のリブがゴム膜１１１を貫通し回動部分２５２に嵌め合わされることにより回動部分２５２と操作キー２０４との間にゴム膜１１１が固定される。
【００５２】
このように構成された多機能スイッチ構造およびそれを用いた携帯電話機でも、実施の形態１と同様の効果がある。
【００５３】
（実施の形態３）
図８は、この発明の実施の形態３に従った多機能スイッチの断面図である。図８を参照して、この発明の実施の形態３に従った多機能スイッチ構造では、ゴム膜２１１が回動部分１５２に直接接触していない点で実施の形態１で示す多機能スイッチ構造と異なる。また、ゴム膜２１１には、遊びを持たせた部分が存在しない点で、実施の形態１で示すゴム膜１１１と異なる。
【００５４】
ゴム膜２１１は、ベースラバー１１４に連なり、ベースラバー１１４から遠ざかるに従って上方に延びるように、すなわち、基板１２３から離れて延びるように形成される。ゴム膜２１１は、操作キー１０４の下に入り込むように延びる。また、操作キー１０４は、ゴム膜２１１の覆い被さり、庇状に形成される。ゴム膜２１１は回動部分１５２と接触していないため、ゴム膜２１１は、回動部分１５２に固着されていない。ゴム膜２１１上でかつ操作キー１０４上にはフロントケース１０１が位置する。フロントケース１０１はゴム膜２１１を覆うように形成される。
【００５５】
図９は、図８で示す多機能スイッチ構造の動作を説明するための断面図である。図９で示すように、操作キー１０４を図の左方向へ回動させると、操作キー１０４の左側の部分がゴム膜２１１に近づき、右側の部分がゴム膜２１１から遠ざかる。このように、操作キー１０４が一方端まで回動した位置にあるときでも、ゴム膜２１１は操作キー１０４の下に入り込むように配置されている。なお、ゴム膜２１１は操作キー１０４に接触してもよい。
【００５６】
このように構成された多機能スイッチ構造およびそれを用いた携帯端末でも、実施の形態１と同様の効果がある。さらに、ゴム膜が回動部分に直接接触していないため、操作キー１０４の操作感覚が良好になるという効果もある。
【００５７】
以上、この発明の実施の形態について説明したが、ここで示した実施の形態はさまざまに変形することが可能である。まず、ここで示した多機能スイッチは、携帯電話だけでなく、他の機器にも使用することができる。また、携帯電話機として用いた場合でも、図において示した形状はあくまで例示であり、これに適宜変更を加えることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
この発明によれば、基板に実装された多機能スイッチ構造をゴム膜で覆うことにより、防水機能および防塵機能を持たせるとともに、良好な操作感を得ることが可能となる。
【００６０】
この発明に従った多機能スイッチ構造および携帯端末は、携帯電話機の分野で使用することができる。
【図面の簡単な説明】
【図１】  この発明の実施の形態１に従った携帯電話機の平面図である。
【図２】  図１で示す携帯電話機のキーパッドの平面図である。
【図３】  図１中のＩＩＩ−ＩＩＩ線に沿って見た断面を示す図である。
【図４】  図３中の点線ＩＶで囲んだ部分を拡大して示す断面図である。
【図５】  図４で示す多機能スイッチ構造の動作を説明するための断面図である。
【図６】  図４中のＶＩ−ＶＩ線に沿って見た断面を示す図である。
【図７】  この発明の実施の形態２に従った多機能スイッチの断面図である。
【図８】  この発明の実施の形態３に従った多機能スイッチの断面図である。
【図９】  図８で示す多機能スイッチの動作を説明するための断面図である。
【図１０】  従来の携帯電話機の平面図である。
【図１１】  図１０で示す携帯電話機のキーパッドの平面図である。
【図１２】  図１０中のＸＩＩ−ＸＩＩ線に沿って見た断面を示す図である。
【符号の説明】
１  多機能スイッチ、１００  携帯電話機、１０５  押ボタン、１１１，２１１  ゴム膜、１１１ａ  部分、１１２  押ボタン、１１４  ベースラバー、１２３  基板、１５０，２５０  多機能スイッチ。
【図１】
0004098081.tif 000002
【図２】
0004098081.tif 000003
【図３】
0004098081.tif 000004
【図４】
0004098081.tif 000005
【図５】
0004098081.tif 000006
【図６】
0004098081.tif 000007
【図７】
0004098081.tif 000008
【図８】
0004098081.tif 000009
【図９】
0004098081.tif 000010
【図１０】
0004098081.tif 000011
【図１１】
0004098081.tif 000012
【図１２】
0004098081.tif 000013